(57)【特許請求の範囲】
【請求項１】
把持部、保持アーム及び保持リングを備え、保持アームの前方に切り欠き部を形成し、保持リングを保持アームの後方に取り付けると共に保持リングの下方または内周に係止部を形成し、切り欠き部よりボトル口頚部を保持アーム内に挿入し、保持アームをボトル口頚部外周と嵌合させ、保持リングを保持アームの前方に回動させ、係止部をボトルの鍔状リングと嵌合させ、保持アームの前方にボトル支持部を形成することを特徴とする着脱式ボトル用把手。
【請求項２】
保持リングは保持アームにヒンジを介して取り付けられることを特徴とする請求項１に記載の着脱式ボトル用把手。
【請求項３】
保持リングが保持アームとは別体であることを特徴とする請求項１に記載の着脱式ボトル用把手。
【請求項４】
把持部、保持リング、案内リング、及び案内リングの先端部にヒンジを介してストッパーを一体成形し、案内リングは保持リングの前方の下方に傾斜して連接し、案内リングにボトル口頚部を挿入し、案内リングを水平方向にスライドさせて保持リングをボトル口頚部外周と嵌合させ、ストッパーをヒンジを支点として回動してボトル口頚部と嵌合させ、保持リングの前方にボトル支持部を形成することを特徴とする着脱式ボトル用把手。
【発明の詳細な説明】
【０００１】
【産業上の利用分野】
飲料、調味料、食油等の内容物を充填するボトルに用いられる着脱式ボトル用把手に関する。
【従来技術】
プラスチックボトルにおいて、内容量が多くなり大型化したものが多数使用され、このような場合にはこれらの容器の取り扱い易さを考慮して把手付きボトルが提供されている。
【０００２】
近年、ボトル廃棄後のリサイクルを効率良く行うために、異なる材料で作製されたボトル本体と把手を、ボトル廃棄時に分別する必要性が生じ、例えば特開平７−２５７５８６号公報に開示された着脱式ボトル用把手が提案されている。
【発明が解決しようとする課題】
特開平７−２５７５８６号公報に開示された着脱式ボトル用把手は、ボトル口頚部の周壁に設けられた鍔状リング下にボトル支持部を挿入させてボトルに装着されるが、この時、鍔状リングとボトル支持部との嵌合、および把手部付近に設けられたボトル口頚部係止桿と鍔状リングとの係止によって把手とボトルは装着される。しかしながら、内容物の注出に際してボトルを傾斜させると、把手とボトルが離れ易くなり、あるいは装着状態が安定せず、注出が不安定になるという問題点があった。
【０００３】
また、上記特開平７−２５７５８６号公報には、ボトル肩部に設けた嵌合凹部に、把手の下面に設けた嵌合凸部を嵌合したものも提案されているが、この場合、
ボトル形状を把手の嵌合凸部に対応させるため、嵌合凹部を肩部に設けたボトルとしなければならず、ボトル自体の汎用性が失われ、また把手とボトルの位置合わせを行なわなければならないとった問題点があった。
【０００４】
【課題を解決するための手段】
１．把持部、保持アーム及び保持リングを備え、保持アームの前方に切り欠き部を形成し、保持リングを保持アームの後方に取り付けると共に保持リングの下方または内周に係止部を形成し、切り欠き部よりボトル口頚部を保持アーム内に挿入し、保持アームをボトル口頚部外周と嵌合させ、保持リングを保持アームの前方に回動させ、係止部をボトルの鍔状リングと嵌合させ、保持アームの前方にボトル支持部を形成することを特徴とする着脱式ボトル用把
手が提供される。
２．保持リングは保持アームにヒンジを介して取り付けられることを特徴とする１に記載の着脱式ボトル用把手が提供される。
３．保持リングが保持アームとは別体であることを特徴とする１に記載の着脱式ボトル用把手が提供される。
４．把持部、保持リング、案内リング、及び案内リングの先端部にヒンジを介してストッパーを一体成形し、案内リングは保持リングの前方の下方に傾斜して連接し、案内リングにボトル口頚部を挿入し、案内リングを水平方向にスライドさせて保持リングをボトル口頚部外周と嵌合し、ストッパーをヒンジを支点として回動してボトル口頚部と嵌合させ、保持リングの前方にボトル支持部を形成することを特徴とする着脱式ボトル用把手が提供される。
【０００５】
【実施例】
図１乃至図５は本願の第１発明における第１実施例の着脱式ボトル用把手を示し、把手１は把持部２、保持アーム３および保持リング４を有し、上記保持リング４はヒンジ部５を介して保持アーム３の後方、すなわち把持部２の上端部近傍に回動自在に一体成形されている。
【０００６】
保持アーム３は、その前方がボトル口頚部２１の外径よりも僅かに小さい径の切り欠き部６となっており、切り欠き部６からボトル口頚部２１の側面を挟み込んでそのまま把手１を水平方向前方にスライドさせると、上記切り欠き部６を若干拡げながら、ボトル口頚部２１を保持アーム３内に挿入し、保持アーム３がボトル口頚部２１外周に嵌合される。
【０００７】
その際、保持アーム部３の下面から垂設した内側脚部７の下端面と外側脚部８の下端面がボトル肩部２２上面に密着し、内側脚部７の内周とボトルの鍔状リング２３下のボトル口頚部２１外周が密着し、更に、内側脚部７の上端面が上記鍔状リング２３の下面に密着し、かつ、保持アーム３の後方に設けられた支持凸部９が鍔状リング２３上面に密着する。なお、上記支持凸部９は上記保持アーム３の両側に設けても良い。
【０００８】
次いで、保持リング４をヒンジ部５を支点として前方に回動させ、保持リング４前方の内周に設けた係止部１０を、ボトルの鍔状リング２３の下面にアンダーカット嵌合させて、前方すなわち注出方向にもボトル支持部を構成する。
【０００９】
この結果、把手１とボトル口頚部２１が強固に嵌合して、把手１からのボトルの抜け、がたつきを防止するため、内容物の注出時に把手１がボトルから外れることがなく、安定した注出を行うことができる。
【００１０】
なお、保持リング４の外径寸法は、ボトル口頚部の外径をわずかに越えた長さで形成され、全体として把手１は必要最小限のコンパクトサイズである。
【００１１】
図６乃至図１２は本願の第１発明における第２実施例の着脱式ボトル用把手を示し、図６乃至図７は上記第２実施例の着脱式ボトル用把手の把持部と保持アームを、図８乃至図９は上記第２実施例の着脱式ボトル用把手の保持リングを、図１０乃至図１２は上記第２実施例の着脱式ボトル用把手の使用状態を示す。
【００１２】
以下に、上記第１実施例との相違点のみ説明し、その他の構成、及び使用法については、上記第１実施例と同様であるので、同符号を付すことにより、説明を省略する。
【００１３】
本実施例では、把手１の把持部２と保持アーム３は一体成形され、保持リング４は別体成形され、上記保持アーム３の両側に支持凸部９，９を設け、上記保持アーム３をボトルの口頚部２１に取り付けた際に、内側脚部７、外側脚部８及び支持凸部９によって、より一層、上記保持アーム３の取り付け状態を安定させる。
【００１４】
また、上記把手１の把持部２の上端には円弧状に湾曲した嵌合部１１と挿入孔１２を設け、別体の保持リング４の嵌合軸１３を挿入孔１２から挿入して、中空状の保持リング４の嵌合部２３内に着脱自在に、かつ回動可能に嵌合させる。なお、上記のように保持リング４を別体とすると、保持リング４の回動の支点となる嵌合部１１は、繰り返しの使用に対する損傷のおそれがなくなり、確実にボトルの口頚部２１に嵌合する。
【００１５】
また、把手１の把持部２の上方には滑り止め突条１４を複数設け、指掛かりを良くして、ボトルに取り付ける際、あるいは内容物を抽出する際の滑りを防止する。
【００１６】
図１３乃至図１７は、本願の第２発明の着脱式ボトル用把手を示し、把手１５は把持部１６、保持リング１７、および案内リング１８を有し、上記案内リング１８は上記保持リング１７の前方の下方に傾斜して連接されており、上記案内リング１８の前方にヒンジ部１９を介して回動自在にストッパー２０がそれぞれ一体成形されている。
【００１７】
案内リング１８内径はボトルの鍔状リング２３外径より若干大きく、上記案内リング１８にボトル口頚部２１を挿入して、すなわち上記案内リング１８を上記鍔状リング２３の下方に位置させ、その状態から把手１５を水平方向前方にスライドさせて、上記鍔状リング２３の外径よりも小さく、また、上記口頚部２１の外径よりも僅かに小さい内径を有する保持リング１７を、その内径を若干拡げながら、上記口頚部１８に嵌合する。
【００１８】
この結果、ボトルに対する把手１の固定はボトルの鍔状リング２３下面と保持リング１７上面、ボトル肩部２２と上記保持リング１７下面及び案内リング１８下面とボトル肩部２２の密着、ストッパー２０のボトルの口頚部２１への係合で行われる。
【００１９】
次いでストッパー２０をヒンジ部１９を支点として回動させ、ストッパー２０の先端部をボトル口頚部１８の下面に係合させる。
【発明の効果】
本発明の着脱式ボトル用把手によれば、把持部を持ってボトルを傾斜させても、
保持アーム、保持リングもしくはストッパーが確実にボトル口頚部に装着されるので、把手からボトルが抜けることを防止し、安定した注出状態を保持することができる。
【００２０】
また、構造が簡単で、容易に製作することができ、かつ、ボトルに特別な形状を施すことなく装着することができ、更にボトル口頚部からの取り外しも容易である。
【００２１】
保持リングもしくはストッパーが、保持アームもしくは案内リングにヒンジを介して取り付けられており、保持リングもしくはストッパーをヒンジを支点として回動させるだけで、位置合わせを要さずに容易にボトル鍔状リングとの嵌合を行うことができる。
【００２２】
把手の把持部、保持アームと保持リングを別体にすると、保持リングの回動の支点となるヒンジ部は、繰り返しの使用に対する損傷するおそれがなくなる。
【図面の簡単な説明】
【図１】本発明における第１発明の着脱式ボトル用把手の断面図。
【図２】図１の着脱式ボトル用把手のボトル口頚部との嵌合状態を示す断面図。
【図３】図１の着脱式ボトル用把手保持リングとボトルとの嵌合前の状態を示す平面図。
【図４】図１の着脱式ボトル用把手とボトルとの嵌合状態を示す平面図。
【図５】図４のＡ−Ａ断面の要部を示す図。
【図６】本発明の第１発明における第２実施例の着脱式ボトル用把手の平面図。
【図７】図６の着脱式ボトル用把手の側面断面図。
【図８】本発明の第１発明における第２実施例の着脱式ボトル用把手の保持リングを示す平面図。
【図９】図８の着脱式ボトル用把手の保持リングの側面を示す部分断面図。
【図１０】本発明の第１発明における第２実施例の着脱式ボトル用把手とボトル口頚部との嵌合前の状態を示す部分断面図。
【図１１】本発明の第１発明における第２実施例の着脱式ボトル用把手とボトル口頚部との嵌合状態を示す部分断面図。
【図１２】図１１の嵌合状態を示す要部断面図。
【図１３】本発明における第２発明の着脱式ボトル用把手案内リングのボトル口頚部への装着状態を示す側面図。
【図１４】図１６の装着状態を示す平面図。
【図１５】本発明における第２発明の着脱式ボトル用把手案内リングとボトル口頚部との嵌合状態を示す側面図。
【図１６】本発明における第２発明の着脱式ボトル用把手案内リングとボトル口頚部との嵌合完了状態を示す側面図。
【図１７】図１６の嵌合完了状態を示す平面図。
【符号の説明】
１    把手
２    把持部
３    保持アーム
４    保持リング
５    ヒンジ部
６    切り欠き部
７    内側脚部
８    外側脚部
９    支持凸部
１０  係止部
１１  嵌合部
１２  挿入孔
１３  嵌合軸
１４  滑り止め突状
１５  把手
１６  把持部
１７  保持リング
１８  案内リング
１９  ヒンジ部
２０  ストッパー
２１  ボトル口頚部
２２  ボトル肩部
２３  鍔状リング
【図１】
0004134438.tif 000002
【図２】
0004134438.tif 000003
【図３】
0004134438.tif 000004
【図４】
0004134438.tif 000005
【図５】
0004134438.tif 000006
【図６】
0004134438.tif 000007
【図７】
0004134438.tif 000008
【図８】
0004134438.tif 000009
【図９】
0004134438.tif 000010
【図１０】
0004134438.tif 000011
【図１１】
0004134438.tif 000012
【図１２】
0004134438.tif 000013
【図１３】
0004134438.tif 000014
【図１４】
0004134438.tif 000015
【図１５】
0004134438.tif 000016
【図１６】
0004134438.tif 000017
【図１７】
0004134438.tif 000018